(57)【要約】      （修正有）【課題】ガス容器から流入されるガスの圧力が異常上昇した際、ガス燃焼器具へのガスの供給を完全に遮断することができるようにしたガス圧力調整器を提供する。【解決手段】一次圧流路１１と、二次圧流路１２と、これら流路１１、１２を連通させる連通孔１３とを有する弁ケース１０と；弁バネ２５によって上方に付勢される弁体２０Ｂと；二次圧流路１２に面して設けられたダイヤフラム３０と；ダイヤフラム変位手段４０と；弁キャップ５０と；弁体押圧部材６０と；弁ケース１０の一次圧流路１１のガス流入口１１ａに設けられたガス容器接続手段７０と；を備えたガス圧力調整器において、弁体２０Ｂは、円板状の弁頭２１と、この弁頭２１の上面から起立され、ＯリングＲが外挿される細軸部２２と、弁頭２１の下面から垂下され、弁バネ２５の一端が外挿される弁軸２３とから成る。【選択図】図１
0003111495.tif 000002
【実用新案登録請求の範囲】
【請求項１】
一次圧流路（１１）、二次圧流路（１２）及びこれら流路（１１、１２）を連通させる連通孔（１３）とを有する弁ケース（１０）と；この弁ケース（１０）の一次圧流路（１１）側に設けられ、弁バネ（２５）によって上方に付勢される弁体（２０Ｂ）と；上記弁ケース（１０）の二次圧流路（１２）に面して設けられたダイヤフラム（３０）と；このダイヤフラム（３０）の上面側に設けられたダイヤフラム変位手段（４０）と；このダイヤフラム変位手段（４０）の一部を囲む収納部（５１）を備えた弁キャップ（５０）と；上記ダイヤフラム（３０）の下面側に設けられた弁体押圧部材（６０）と；上記弁ケース（１０）の一次圧流路（１１）のガス流入口（１１ａ）に設けられたガス容器接続手段（７０）と；を備えたガス圧力調整器において、
上記弁体（２０Ｂ）は、円板状の弁頭（２１）と、この弁頭（２１）の上面から起立され、Ｏリング（Ｒ）が外挿される細軸部（２２）と、上記弁頭（２１）の下面から垂下され、弁バネ（２５）の一端が外挿される弁軸（２３）とから成り、
ガス容器（Ｇ）から流入されるガスの圧力が異常上昇した際に、上記弁体（２０Ｂ）の弁頭（２１）がＯリング（Ｒ）を介して上記弁ケース（１０）の連通孔（１３）の孔縁（１３ａ）に密着されることを特徴とするガス圧力調整器。
【考案の詳細な説明】
【技術分野】
【０００１】
本考案は、携帯用又は小型のガス容器を接続して燃焼させるガス燃焼器具に用いられるガス圧力調整器に関するものであって、特にダイヤフラムの作用によって弁体を作動させて連通孔を開閉することによってガス容器から流入されるガスの圧力を調整の上、ガス燃焼器具へ流出させるガス圧力調整器に関するものである。
【背景技術】
【０００２】
一般に携帯用又は小型のガス容器を使用するガス燃焼器具では、ガス容器から流入されるガスの圧力を燃焼圧力に調整するために減圧器であると称するガス圧力調整器が使用される。このガス圧力調整器は、通常、ガス容器からゲージ圧で略１９６ｋＰａ（２ｋｇｆ／ｃｍ２）の一次圧で流入されるガスを同じくゲージ圧で２．７４〜９．８０ｋＰａ程度の二次圧で減圧してガス燃焼器具の燃焼部にガスを供給する。
【０００３】
図５は、このような動作を行う従来のガス圧力調整器を例示するものであり、このガス圧力調整器１００は、一次圧流路１１と、二次圧流路１２と、これら流路１１、１２を連通させる連通孔１３とを有する弁ケース１０と；この弁ケース１０の一次圧流路１１側に設けられ、弁バネ２５によって上方に付勢される弁体２０Ａと；上記弁ケース１０の二次圧流路１２に面して設けられたダイヤフラム３０と；このダイヤフラム３０の上面側に設けられたダイヤフラム変位手段４０と；このダイヤフラム変位手段４０の一部を囲む収納部５１を備えた弁キャップ５０と；上記ダイヤフラム３０の下面側に設けられた弁体押圧部材６０と；上記弁ケース１０の一次圧流路１１のガス流入口１１ａに設けられたガス容器接続手段７０と；を備えて構成されている（特許文献１参照）。
【０００４】
このように構成された従来のガス圧力調整器は、ガス容器から流入されるガスの圧力をガス燃焼器具に適合した燃焼圧力に調整することによって、ガス燃焼器具の燃焼部での燃焼を安定化させて燃焼効率を向上させることができる。
【特許文献１】大韓民国公開実用新案第１９９５−１２０６５号公報
【考案の開示】
【考案が解決しようとする課題】
【０００５】
しかしながら、弁ケースの連通孔を開閉する弁体は、その弁頭が半球面をもつ傘形に形成してなるものであるので、例えば、雰囲気温度の上昇などの異常上昇によってガス容器内のガスの圧力が異常上昇した際には、この異常上昇した高圧のガスが弁体の弁頭と連通孔の孔縁（弁座）との間の隙間を通じてガス燃焼器具の燃焼部にそのまま供給されることによって、ガス燃焼器具の燃焼部での異常燃焼は勿論、安全事故の原因になることがあった。
【０００６】
本考案は以上の従来の問題を解決するためになされたもので、本考案の目的は、ガス容器から流入されるガスの圧力をガス燃焼器具に適合した燃焼圧力に調整することができると共に、該ガスの圧力が異常上昇した際には、ガス燃焼器具へのガスの供給を完全に遮断することができるようにしたガス圧力調整器を提供することにある。
【課題を解決するための手段】
【０００７】
上記課題を解決するための本考案のガス圧力調整器は、一次圧流路、二次圧流路、これら流路を連通させる連通孔を有する弁ケースと；この弁ケースの一次圧流路側に設けられ、弁バネによって上方に付勢される弁体と；上記弁ケースの二次圧流路に面して設けられたダイヤフラムと；このダイヤフラムの上面側に設けられたダイヤフラム変位手段と；このダイヤフラム変位手段の一部を囲む収納部を備えた弁キャップと；上記ダイヤフラムの下面側に設けられた弁体押圧部材と；上記弁ケースの一次圧流路のガス流入口に設けられたガス容器接続手段と；を備えたガス圧力調整器において、上記弁体が、円板状の弁頭と、この弁頭の上面から起立され、Ｏリングが外挿される細軸部と、上記弁頭の下面から垂下され、弁バネの一端が外挿される弁軸とから成り、ガス容器ら流入されるガスの圧力が異常上昇した際に、上記弁体の弁頭がＯリングを介して上記弁ケースの連通孔の孔縁に密着されることを特徴としている。
【考案の効果】
【０００８】
このように構成された本考案によれば、ガス容器から流入されるガスの圧力をガス燃焼器具に適合した燃焼圧力に調整することによって、ガス燃焼器具の燃焼部での燃焼を安定化させることができるので、燃焼効率を向上させることができる。
【０００９】
更に、雰囲気温度の上昇などの異常上昇によってガス容器内のガスの圧力が異常上昇した際には、弁体の弁頭がＯリングを介して弁ケースの連通孔の孔縁（弁座）に密着されることによって、異常上昇した高圧のガスが二次圧流路に流通することが完全に遮断される。従って、異常上昇した高圧のガスがガス燃焼器具の燃焼部に供給されないので、安定性を確保することができる。
【考案を実施するための最良の形態】
【００１０】
以下、図１乃至図４に基いて、本考案のガス圧力調整器２００の一実施形態について説明する。なお、本実施形態の説明において、図５に示す従来例との共通部分については、同一符号を付してその説明を簡略化する。
【００１１】
このガス圧力調整器２００は、一次圧流路１１と二次圧流路１２とを有する弁ケース１０と、この弁ケース１０の一次圧流路１１側に設けられた弁体２０Ｂと、上記弁ケース１０の二次圧流路１２に面して設けられたダイヤフラム３０と、このダイヤフラム３０の上面側に設けられたダイヤフラム変位手段４０と、このダイヤフラム変位手段４０の一部を囲む収納部５１を備えた弁キャップ５０と、上記ダイヤフラム３０の下面側に設けられた弁体押圧部材６０と、上記弁ケース１０の一次圧流路１１のガス流入口１１ａに設けられたガス容器接続手段７０とを備えて構成されている。
【００１２】
弁ケース１０の一次圧流路１１と二次圧流路１２との間には、これら流路１１、１２を連通させる連通孔１３が形成されており、この連通孔１３には、ダイヤフラム３０の下面側に設けられた弁体押圧部材６０の押圧棒６１が上記ダイヤフラム３０の作用に応動して上下移動自在に挿通されている。
【００１３】
この連通孔１３の一次圧流路１１側には、この一次圧流路１１のガス流入口１１ａに気密に内挿された弁バネ支持部材２６で支持される弁バネ２５によって上方に付勢される弁体２０Ｂが設けられている。
【００１４】
この弁体２０Ｂは、図４に示すように、円板状の弁頭２１と、この弁頭２１の上面から起立され、ＯリングＲが外挿される細軸部２２と、上記弁頭２１の下面から垂下され、弁バネ２５の一端が外挿される弁軸２３とからなっている。また、上記細軸部２２は、図１に示すように、その先端部が上記弁ケース１０の連通孔１３に上下移動自在に挿通されており、上記弁体押圧部材６０の押圧軸４１の先端に当接可能になっている。
【００１５】
上記弁ケース１０の上部には弁キャップ５０が設けられており、弁ケース１０と弁キャップ５０との間には、これら弁ケース１０と弁キャップ５０とにその周縁が挟持された状態で上記ダイヤフラム３０が配置されている。
【００１６】
上記ダイヤフラム３０の上面側には、第１調圧バネ４１と、この第１調圧バネ４１を上下から挟持する上下バネ受け４３、４４とを備えたダイヤフラム変位手段４０が設けられている。これら第１調圧バネ４１と上下バネ受け４３、４４は、上記弁キャップ５０の収納部５１内に配設され、この収納部５１を有する弁キャップ５０は、その下端が上記弁ケース１０にボルトＢ等の締結手段によって固設されている。
【００１７】
上記第１調圧バネ４１の上側に配置されたスライダとしての上バネ受け４３は、その中央に微細変位調節のためのアジャストスクリュー４５が螺嵌されており、第２調圧バネ４２によって上方に付勢されるようになっている。上記第１調圧バネ４１の下側に配置された下バネ受け４４は、ダイヤフラム３０の上面に接して設けられ、このダイヤフラム３０は下バネ受け４４を介して第１調圧バネ４１によって下方に付勢されるようになっている。また、弁キャップ５０の収納部５１には、底面に複数の階段状の調節カム４６ａを有する変位調節ノブ４６が、その底面を上記上バネ受け４３の上面に当接させた状態で回転自在に外嵌されている。上記ダイヤフラム変位手段４０は、この変位調節ノブ４６と、上記第１、第２調圧バネ４１、４２と、上下バネ受け４３、４４とを備えて構成されている。
【００１８】
上記弁ケース１０の下部には、ガス容器Ｇを着脱自在に接続させるためのガス容器接続手段７０が設けられている。
【００１９】
このガス容器接続手段７０は、図１に示すように、底面にガス容器Ｇの支持リングに掛合される複数の弾性脚片７１ａを有する円板形状の受け板７１と、外周面に上記受け板７１の複数の弾性脚片７１ａに対応する複数のカム突起７２ａを有するカム部材７２とを備え、上記弁ケース１０の底面にボルトＢ等の締結手段によって固設される上記カム部材７２に対して上記受け板７１を相対的に回転させることにより、上記カム部材７２のカム突起７２ａが上記受け板７１の弾性脚片７１ａを外方に押圧して当該弾性脚片７１ａが上記ガス容器Ｇの支持リングに掛合されるようにすることによってガス容器Ｇを接続させる構成になっている。
【００２０】
また、図面において、符号Ｎは弁ケース１０の二次圧流路１２のガス流出口１２ａに図示されないガス燃焼器具に接続されるノズル体であり、符号ＲはＯリングであり、符号Ｂはボルト等の締結手段である。
【００２１】
次に作用について説明する。
【００２２】
弁ケース１０の下部にガス容器接続手段７０によって接続されたガス容器Ｇ内のガスは一次圧流路１１に流入され、このガスは連通孔１３から二次圧流路１２に流通するときに、弁体２０Ｂに弁体押圧部材６０を介して作用しているダイヤフラム３０の圧力調整力と対応した圧力に減圧され、この後、ガスは二次圧流路１２からノズル体Ｎを介してガス燃焼器具の燃焼部に供給される。
【００２３】
雰囲気温度の上昇などの異常上昇によってガス容器Ｇ内のガスの圧力が異常上昇したときには、弁体２０Ｂの弁頭２１がＯリングＲを介して弁ケース１０の連通孔１３の孔縁（弁座）１３ａに密着されることによって、異常上昇した高圧のガスが二次圧流路１２に流通することが完全に遮断される。これによって、異常上昇した高圧のガスがガス燃焼器具の燃焼部に供給されないので、安定性を確保することができる。
【図面の簡単な説明】
【００２４】
【図１】本考案の一実施形態にかかるガス圧力調整器の構成を示す断面図である。
【図２】本考案の一実施形態にかかるガス圧力調整器の構成を示す分解斜視図である。
【図３】本考案の一実施形態にかかるガス圧力調整器の構成を示す一部破断側面図である。
【図４】図１で示された弁体を示す拡大斜視図である
【図５】従来のガス圧力調整器の構成を示す断面図である。
【符号の説明】
【００２５】
１０  弁ケース
１１  一次圧流路
１２  二次圧流路
１３  連通孔
１３ａ  孔縁（弁座）
２０Ｂ  弁体
２１  弁頭
２２  細軸部
２３  弁軸
２５  弁バネ
３０  ダイヤフラム
４０  ダイヤフラム変位手段
５０  弁キャップ
６０  弁体押圧部材
７０  ガス容器接続手段
Ｒ  Ｏリング
Ｇ  ガス容器
【図１】
0003111495.tif 000003
【図２】
0003111495.tif 000004
【図３】
0003111495.tif 000005
【図４】
0003111495.tif 000006
【図５】
0003111495.tif 000007